(57)【特許請求の範囲】
【請求項１】
天板が、そのフラップ動作の中心となる支軸を当該支軸と直交する天板奥行き方向の中心付近に設定されるとともに、天板奥行き方向の重心位置が、前記支軸に対して奥行き方向に変位しているフラップテーブルであって、
天板の幅方向の縁部に設けたブラケットを前記天板を支持する脚体に前記支軸を介して取り付けるとともに、ブラケット間を天板受部材で連結してその天板受部材を天板の裏面に固定し、天板受部材に隣接しつつ前記支軸と軸心が合致する位置にトーションバーを当該天板受部材と平行に配置して、トーションバーの一端を脚体に固定し、他端を前記天板受部材に固定してなり、
天板の奥行き方向中央に配線取出口を設け、この配線取出口の下に配線ダクトを、少なくとも前記トーションバーを当該配線取出口から遮蔽する範囲に亘って配置していることを特徴とするフラップテーブル。
【請求項２】
天板の重心位置との関係において前記支軸の位置を、天板がフラップ動作を行う際に途中の傾斜姿勢の位置を思案点としてそれよりも浅い角度で使用位置側に回転モーメントが生じそれよりも深い角度で起立位置側に回転モーメントが生じる関係に設定している請求項１記載のフラップテーブル。
【請求項３】
天板が所定の傾斜姿勢もしくはそれよりも起立側の位置から使用位置に向かって移動させた際にトーションバーがねじれを増大させて弾性力を蓄積するように構成されている請求項２記載のフラップテーブル。
【請求項４】
トーションバーの反力を調節する調節機構を、天板裏面に設け、天板をフラップさせた際に、少なくとも前記調節機構の操作部が操作可能な状態で表出するように構成している請求項１〜３の何れかに記載のフラップテーブル。
【請求項５】
調節機構が、トーションバーの一端を脚体に回転不能に固定する固定手段の固定位置または他端を天板受部材に一体回転可能に固定する固定手段の固定位置の少なくとも何れか一方を当該トーションバーの長手方向に沿って位置変更可能とするものである請求項４記載のフラップテーブル。
【請求項６】
天板の幅方向に沿ってその下面を支持する位置に天板受部材を配置し、その天板受部材に沿ってトーションバーの他端に設けた固定手段を移動可能に構成して、当該天板受部材またはトーションバーの長手方向に沿って目盛を付している請求項５記載のフラップテーブル。
【発明の詳細な説明】
【技術分野】
【０００１】
本発明は、トーションバーを用いて天板のフラップ動作を適切に補助できるようにしたフラップテーブルに関するものである。
【背景技術】
【０００２】
この種のトーションバーを利用したテーブルとして、特許文献１に示すものが知られている。
【０００３】
このものは、両側前後に１対の前脚杆と後脚杆とを備えた前後方向に水平スタッキング可能なフレームを備え、フレームの後端部に天板の後部下面を回転支持手段であるトーションバーにて上下回動可能且つ所定角度に跳ね上げた状態を維持可能に連結するとともに、天板を略水平な使用状態に維持するためのラッチ部材及びラッチ受部材から構成されるロック手段を前脚杆の上端と天板の前端部との間に設けた構成が開示されている。
【０００４】
これにより、リンク機構やラッチ機構を組み込まず、単純構造で軽量且つ薄い天板を用いて、水平スタッキング時に天板の跳ね上げを可能にし、操作性、外観性を確保し、コスト低減も図ることができるとされている。
【先行技術文献】
【特許文献】
【０００５】
【特許文献１】特開２００６−９４９９６号公報
【発明の概要】
【発明が解決しようとする課題】
【０００６】
しかしながら、このような構造は、トーションバーに作用する実質的なモーメントの腕の長さが天板の重心位置から天板の縁部までの奥行き寸法相当若しくはこれよりも大きくなるため、大型天板の場合にはトーションバーにもかなり大きなものが必要になるという不具合がある。
【０００７】
また、大型天板になるほど天板を跳ね上げた位置が高くなるため、重心移動が大きく操作量や操作力も大きくなる。
【０００８】
さらに、かかる特許文献のものは、トーションバーの端部を不動体や可動体に取り付けて不動体に対する可動体の回転によりトーションバーにねじりを与える構成を採用しており、トーションバーの端部を９０度の回転角度毎に不動体や可動体に取り付けでき、初期弾性を設定できるようにしているが、微妙な弾性力の調整が困難である。
【０００９】
本発明は、このような課題に着目してなされたものであって、天板が大型である場合等にも、トーションバーを効果的に機能させて適切なフラップ機能を実現したフラップテーブルを提供することを目的としている。
【課題を解決するための手段】
【００１０】
本発明は、かかる目的を達成するために、次のような手段を講じたものである。
【００１１】
すなわち、本発明のフラップテーブルは、天板が、そのフラップ動作の中心となる支軸を当該支軸と直交する天板奥行き方向の中心付近に設定されるとともに、天板奥行き方向の重心位置が、前記支軸に対して奥行き方向に変位しており、天板の幅方向の縁部に設けたブラケットを前記天板を支持する脚体に前記支軸を介して取り付けるとともに、ブラケット間を天板受部材で連結してその天板受部材を天板の裏面に固定し、天板受部材に隣接しつつ前記支軸と軸心が合致する位置にトーションバーを当該天板受部材と平行に配置して、トーションバーの一端を脚体に固定し、他端を前記天板受部材に固定してなり、天板の奥行き方向中央に配線取出口を設け、この配線取出口の下に配線ダクトを、少なくとも前記トーションバーを当該配線取出口から遮蔽する範囲に亘って配置していることを特徴とする。
【００１２】
このように構成すれば、天板は奥行き方向の中心付近で回転するため、天板重量を支える必要はほとんど無くなり、回転時の重量バランスも良好になる。このため、大型天板等に適用するにあたりトーションバーを小型化して弾性係数を小さい値に抑えても、トーションバーの効果を有効に発現させることができる。また、天板を跳ね上げても重心位置が大きく変わらないため、大型天板であっても回転に大きな力や多くの操作量は必要とならない。そして、他の反力機構に比べて構造がコンパクトとなるため、水平スタッキング時のスタックピッチの狭小化にも好都合となる。ここで、中心の「付近」とは、上記の作用が得られる範囲であるが、具体的には、支軸が天板の奥行き方向の中心に合致している場合のほか、天板の奥行き方向の中心からの変位量が当該天板の厚み寸法の２〜３倍以内、或いは軸線が配線取出口から外れない範囲、或いは奥行き方向の中央から立ち上げた脚に付帯する固定ブラケットを可動ブラケット内に収容できる範囲など、種々の基準に基づくことができる。
【００１３】
また、天板奥行き方向の重心位置が支軸に対して奥行き方向に変位していることから、フラップ動作時に支軸に対して重心位置をどの方向に作動させるかの設定と、トーションバーをどの領域で変形させるかの設定とを組み合わせれば、トーションバーの弾性係数を抑えたなかで、目的や用途に応じたフラップ動作を有効に実現することができる。
【００１４】
また、天板の幅方向の縁部に設けたブラケットが支軸を介して脚体に取り付けられるとともに、ブラケット間が天板受部材で連結されてその天板受部材に天板の裏面を固定し、前記天板受部材に隣接しつつ前記支軸と軸心が合致する位置にトーションバーを平行に配置して、トーションバーの一端を脚体に固定し、他端を当該天板受部材に固定していることから、天板の反りを防止する天板受部材を利用してトーションバーを適切に取り付けることができる。
【００１５】
さらに、天板の奥行き方向中央に配線取出口を設け、この配線取出口の下に配線ダクトを、少なくとも前記トーションバーを当該配線取出口から遮蔽する範囲に亘って配置していることから、前記トーションバーを効率良く隠蔽することができ、配線ダクトを利用して配線取出口の周辺の見栄えを有効に向上させることが可能となる。
【００１６】
使用位置及び起立位置での安定性と、その間の天板の円滑な作動とを両立させるためには、天板の重心位置との関係において前記支軸の位置を、天板がフラップ動作を行う際に途中の傾斜姿勢の位置を思案点としてそれよりも浅い角度で使用位置側に回転モーメントが生じそれよりも深い角度で起立位置側に回転モーメントが生じる関係に設定していることが好ましい。
【００１７】
トーションバーの好ましい設定の一例としては、天板が所定の傾斜姿勢もしくはそれよりも起立側の位置から使用位置に向かって移動させた際にトーションバーがねじれを増大させて弾性力を蓄積するように構成されるものが挙げられる。
【００１８】
フラップ機能を適切に調整できるようにするためには、トーションバーの反力を調節する調節機構を天板裏面に設け、天板をフラップさせた際に、少なくとも前記調節機構の操作部が操作可能な状態で表出するように構成していることが望ましい。
【００１９】
具体的な実施の一態様としては、調節機構が、トーションバーの一端を脚体に回転不能に固定する固定手段の固定位置または他端を天板受部材に一体回転可能に固定する固定手段の固定位置の少なくとも何れか一方を当該トーションバーの長手方向に沿って位置変更可能としているものが挙げられる。
【００２０】
天板の幅方向に沿ってその下面を支持する位置に天板受部材が配置されている場合に、トーションバーの取付けの便と使い勝手を有効に高めるためには、その天板受部材に沿ってトーションバーの他端に設けた固定手段を移動可能に構成して、当該天板受部材またはトーションバーの長手方向に沿って目盛を付していることが好適である。
【発明の効果】
【００２１】
本発明は、以上説明した構成であるから、フラップ動作する天板を、当該天板の使用位置で複数人が利用できるような大型のものにしても、比較的簡易なトーションバーを通じて適切にフラップ動作させることができ、これにより天板下の反力機構を極めて簡素化するとともに、出し入れの際の天板の回転操作に係る作業性も有効に向上させたフラップテーブルとして提供することができる。
【図面の簡単な説明】
【００２２】
【図１】本発明の一実施形態に係るフラップテーブルの使用状態を斜め上方から見た斜視図。
【図２】同フラップテーブルの一部分解した斜視図。
【図３】同フラップテーブルの使用状態を示す側面図。
【図４】同フラップテーブルの収納状態を示す側面図。
【図５】同フラップテーブルに組み込まれたトーションバーを示す部分正面図。
【図６】同フラップテーブルの配線取出口近傍の構造を示す部分破断斜視図。
【図７】同フラップテーブルにおけるバッテリの収納状態を示す部分側断面図。
【図８】同平面図。
【図９】同フラップテーブルの充電状態を示す斜視図。
【図１０】本発明の変形例を示す図。
【発明を実施するための形態】
【００２３】
以下、本発明の一実施形態を、図面を参照して説明する。
【００２４】
この実施形態のフラップテーブルＴは、図１及び図２に示すように、左右に対をなす脚体１と、これらの脚体１，１間を連結した状態で当該脚体１によってフラップ動作可能に支持される天板２とから構成される。
【００２５】
脚体１は、脚支柱１１と、この脚支柱１１の下端側を支持する位置に設けた前後に延びるベース脚１２とを具備し、左右の脚体１の上端部間を連結する位置に補強用の横架材１３が設けられたもので、脚体１の一部（この実施形態では横架材１３の両端部）に図３及び図４に示すような板状の固定ブラケット１４を脚体１から上方に向けて突出させている。横架材１３の下方には幕板１５が配置されており、ベース脚１２の下端はキャスター１２ａに支持されている。
【００２６】
一方、天板２は、図１、図２及び図９に示すような平面視楕円形状をなすもので、その下面に一対の可動ブラケット２１及び天板受部材２２が取り付けられる。可動ブラケット２１は、天板２の幅方向Ｘの両縁近傍の下面を支持する位置に奥行き方向Ｙに沿って配される袋状のもので、天板受部材２２は一対の可動ブラケット２１，２１の最寄りの立面間を接続する位置に設けられた角パイプ状をなす。これら可動ブラケット２１及び天板受部材２２はねじ等によって天板２の下面に取り付けられ、天板受部材２２は天板２の下面を幅方向Ｘに沿って支持することで天板２の反りを防止する。可動ブラケット２１の下端部には開口２１ａが設けられて、図３及び図４に示す固定ブラケット１４が挿入され、内部において当該可動ブラケット２１が支軸ｍ１を介し固定ブラケット１４に回転可能に連結されている。前記支軸ｍ１は、当該支軸ｍ１の軸心と直交する天板奥行き方向Ｙに沿って天板２の中心付近、具体的には、図３に示す天板２の中心位置Ｃから天板奥行き方向Ｙに沿って僅かにオフセットした位置に設定されている。支軸ｍ１は天板２がフラップ動作を行う際の軸線を与える。
【００２７】
左右の可動ブラケット２１内には、ロック位置と非ロック位置との間で支軸ｍ２の回りに回転するロック片２３が設けられている。左右のロック片２３の支軸ｍ２から変位した部位の間は、図２に示すように天板受部材２２に沿って平行に延びる連動軸２４によって連結されており、この連動軸２４が駆動されることによって、図３に示す天板２の使用位置２（Ｐ）でロック片２３に設定した第１の係り合い部２３ａが固定ブラケット１４の対応位置に設定した第１の被係り合い部１４ａに係り合い、図４に示す天板２の起立位置２（Ｑ）でロック片２３に設定した第２の係り合い部２３ｂが固定ブラケット１４の対応位置に設定した第２の被係り合い部１４ｂに係り合って、天板２を使用位置２（Ｐ）又は起立位置２（Ｑ）の何れかの位置に選択的にロックする。同時に天板２は、使用位置２（Ｐ）でその下面を固定ブラケット１４の上面１４ｃに支持され、起立位置２（Ｑ）でその下面を固定ブラケット１４の立面１４ｄに添設する位置に配される。図４に示す起立位置２（Ｑ）で天板２は脚支柱１１に対して平行とされる。図２に示すように、連動軸２４の幅方向中央部にはカバー２５ａで被覆した状態でロッド２５ｂが接続され、このロッド２５ｂは天板２の奥行き方向中央部から外縁付近にまで延びて、先端に操作レバー２５ｃが取り付けられる。そして、操作レバー２５ｃを牽引すると連動軸２４が作動し、前記ロック片２３が非ロック位置に向かう方向（図３及び図４における反時計回り）に駆動される。ロック片２３は操作力が解除された際にロック位置に向かう方向にバネ等によって弾性的に押し付けられている。
【００２８】
この実施形態では、図３に示すように天板２の厚みを無視すれば天板奥行き方向Ｙに沿って天板２の中心位置Ｃと重心位置Ｍとがほぼ合致する関係にあり、重心位置Ｍが支軸ｍ１に対して天板奥行き方向Ｙにオフセットさせてある。より具体的には、天板３の重心位置Ｍとの関係において前記支軸ｍ１の位置は、天板２がフラップ動作を行う際に重心位置Ｍが支軸ｍ１の真上に到来する傾斜姿勢２（Ｒ）の位置を思案点として、それよりも浅い角度で図３の使用位置２（Ｐ）に向かう回転モーメントが天板２に生じ、それよりも深い角度で図４の起立位置２（Ｑ）に向かう回転モーメントが天板２に生じる関係にある。
【００２９】
そして、図２及び図５に示すように、前記支軸ｍ１の軸心上にトーションバー４を配置して、一端４１側を前記可動ブラケット２１を貫通して固定部たる固定ブラケット１４に回転不能に支持させ、他端４２側を前記天板２の幅方向Ｘに沿って前記天板受部材２２の隣接位置に平行に延出させて、当該他端４２の近傍を天板受部材２２の側面に固定部たる固定片４３を介して天板２とともに一体回転するように固定している。図５は模式図であり、トーションバー４の少なくとも両端４１，４２を角柱形状にして、一端４１を内空が角孔である固定具４４に挿し通し、この固定具４４の外周を円筒面形状にして固定ブラケット１４に溶接等により固定し、可動ブラケット２１を前記固定具４４の外周に取り付けて支軸ｍ１の回りに回転可能に支持させるとともに、他端４２を固定片４３の角孔に挿入することによって、支軸ｍ１上でのトーションバー４と可動ブラケット２１との取り付けを両立させている。勿論、このような支軸ｍ１上でのトーションバー４と可動ブラケット２１との取付構造は一例に過ぎず、これに限られるものではない。トーションバー４の構造や機能自体は周知であるためここでの詳細は省略するが、一端４１と他端４２の間にねじりがない状態では弾性力を蓄積せず、固定された一端４１に対して他端４２が天板２の回転とともに回転してねじり変位が生じると、その変位に応じたねじり弾性力がトーションバー４に蓄積される。この実施形態では、天板２が図４に示す起立位置２（Ｑ）にあるときにねじれ変位がなく、この位置から天板２が図３に示す使用位置２（Ｐ）に向かって回転した際にトーションバー４がねじれを増大させて弾性力を蓄積するように設定されている。勿論、天板２がこれらの図において想像線で示す傾斜姿勢２（Ｒ）にあるときにねじれ変位が無いように設定することもでき、この場合には使用位置２（Ｐ）からの跳ね上げ操作及び起立位置２（Ｑ）からの倒伏操作の何れに対してトーションバー４による助勢作用を得ることができる。
【００３０】
このようなフラップテーブルＴは、オフィス等において随意の場所に運ばれて使用されるが、近似においてはフラップテーブルＴにおいても電子機器類を使用することが日常的となってきているため、移動先で電源が確保できない事態に備える必要がある。そこで、前記天板２には、図１及び図２に示すように、平面方向の一部の領域において、当該天板面２１よりも下方に、天板２の厚みを利用して天板面２１と平行な状態で板状のバッテリ５を収納するバッテリ収納部６（６ａ、６ｂ）を設けている。これらのバッテリ収納部６は、天板２の中央付近において、天板２の幅方向Ｘの中心を連ねた中心線ｖ及び奥行き方向Ｙの中心を連ねた中心線ｗで区画される各領域に１つずつ、計４箇所に設けられているもので、各バッテリ収納部６は、天板２の裏面側に一部を肉盗みした状態で設けた矩形状の凹部６１と、この凹部６１を閉止する位置にねじにより着脱される蓋部材たる裏板６２との間に構成されて、裏板６２を外すことによりバッテリ収納部６が裏面側に開放される。天板２の奥行き方向Ｙに沿って対をなす２つのバッテリ収納部６ａ、６ｂは、図７に示すように支軸ｍ１のほぼ両側に位置づけられている。天板奥行き方向Ｙに対をなす２つのバッテリ収納部６ａ、６ｂの間には、図６及び図７に示すように天板２を肉厚方向に打ち抜いた形態をなす矩形状の配線空間Ｓが形成され、各バッテリ収納部６ａ、６ｂは天板面２１に沿ってその一部が前記配線空間Ｓ側に開放されている。
【００３１】
配線空間Ｓの上方は天板面２１上に配線取出口２６として開口している。この配線取出口２６に関しても、図７に示すように、フラップ動作の中心となる軸線たる支軸ｍ１と直交する天板奥行き方向Ｙに沿った天板中央部（中心位置Ｃ）に当該配線取出口２６のセンターが位置し、天板奥行き方向Ｙに沿って両側の天板縁部２ｍ、２ｎから略均等に配線取出口として利用可能なものである。そして、この配線取出口２６の下に、天板受部材２２を利用して配線ダクト７が、図７の紙面に垂直な天板幅方向Ｘに沿って構成してある。この配線ダクト７は、図６に示すように、前記天板受部材２２を受容するように下方から天板裏面に取り付けられ一部にコ字形部分を含むダクト材７１の当該底壁７１ａと、天板奥行き方向Ｙに沿って対をなす一対の裏板６２の一方に設けた折曲片６２ａと、前記天板受部材２２の一方の立面２２ａとを組み付けた位置に上向きチャネル状に形成されたもので、天板奥行き方向Ｙの両側の壁（折曲片６２ａと立面２２ａ）及び天板下方Ｚの壁（底壁７１ａ）によって三方が閉じた配線空間７Ｓを形成し、その上方の前記配線空間Ｓに連通している。すなわち、幅広な配線空間７から幅狭な配線空間７Ｓへと配線類を落とし込める構造をなしている。この配線ダクト７は、裏板６２とともに前記トーションバー４や前記連動軸２４を配線取出口２６側から視認できないように遮蔽する位置及び範囲に亘って延びている。図９に示すように、左右の配線ダクト７を構成するダクト材７１，７１の間は分断していて、各配線ダクト７は側方の端部７ｘで開放されており、下から立ち上げた配線をそこから配線ダクト７内に導入することが可能とされている。図１に示す天板２の使用位置２（Ｐ）において、前記配線空間Ｓ等も、天板奥行き方向Ｙに沿って両側の天板縁部２ｍ、２ｎから中央配線空間として利用可能なものである
【００３２】
ここで、前述したように配線空間Ｓは天板２の中央を打ち抜いて配線取出口２６とともに形成されたものであり、配線取出口２６を挟んで天板２の奥行き方向Ｙの使用領域の一部が分断された状態になるが、前記天板２の配線取出口２６を挟んで幅方向両縁部側を支持するブラケット２１，２１は、前記分断された使用領域の側方において両領域にまたがるように位置づけられており、天板２の中央に配線取出口２６等を設けたことによる天板２の強度低下が有効に防止されている。
【００３３】
この実施形態で用いるバッテリ５は、図７及び図８に示すように、前記天板２の凹部６１に埋没する厚み５ｔと、当該凹部６１の天板幅方向の内寸６１ｗに略等しい幅寸法５ｗと、当該凹部６１の奥行き方向の内寸６１ｄよりも大きい奥行き寸法５ｄとを有するもので、バッテリ５をバッテリ収納部６ａ、６ｂに収納して裏板６２を取り付けた状態で、バッテリ５が凹部６１と裏板６２との間に挟まれて固定され、バッテリ５の後縁側は凹部６１から食み出して配線取出口２６内の配線空間Ｓに位置する寸法関係にある。ただし、このような蓋構造を採用する場合、バッテリ５と天板２の裏面に設けた凹部６１の内面との間、或いはバッテリ５と裏板６２の内面との間に隙間やすべりが存するときに、天板２のフラップ動作や移動によってバッテリ収納部６ａ、６ｂ内でバッテリ５がガタつくおそれがある。そこで、図２に示すように、裏板６２を係止部材である摩擦シート６３を介してバッテリ５に圧着させるようにしている。この摩擦シート６３は、予め裏板６２側に貼着しておいてもよい。すなわち摩擦シート６３は、裏板６２の取り付け時にバッテリ５と係り合い、天板２の姿勢にかかわらずバッテリ５の位置を保持する役割を果たす。勿論、係止部材は天板２の裏面側に設けておくこともできる。
【００３４】
バッテリ５の後縁側にはコード引出部５ａが設けてあり、対向位置にある同じ仕様のバッテリ５との間に所定間隔を隔てて背合わせに配置される。対向位置にある一対のバッテリ収納部６ａ、６ｂは、一対のバッテリ５の互いのコード引出口５ａが干渉しないように、天板幅方向Ｘに沿って凹部６１の位相がピッチＰだけずらせてある。配線空間Ｓ側に食み出したバッテリ５の後縁側の上面には、給電電圧や給電状態等の給電情報を示すＬＥＤ等を用いたバッテリ表示部５ｃが設けてある。上記のように、バッテリ５は天板２の凹部６１に埋没して配されるとともに、天板２の裏面すなわち凹部６１の下面と裏板６２との間に挟まれているため、図４のように起立させても凹部６１の内面に支持され、或いは厚み方向に挟持されて、所定の位置を保持される。
【００３５】
そして、配線空間Ｓの上方に位置する配線取出口２６を内部の配線空間Ｓとともに閉止するために、図１に示すようにカバー８を設けている。この実施形態では、前述した天板受部材２２やチャネル材７１、裏板６２等がスチールで構成されており、これとの関係で、カバー８には配線取出口２６に装着した位置でこれらに吸着する図示しない保持手段たるマグネットを設けて、フラップ動作中にカバー８の閉止状態を維持することを可能としている。図８で右側の網掛けを付したものがカバー８であり、閉止位置にあるカバー８の側方に配線空間Ｓの一部を開放する開放部８ｚを設けて配線の引き出しを可能にするとともに、バッテリ５の一部に設けられて給電能力や給電状態等の給電情報を表示するバッテリ表示部５ｃがかかる開放部８ｚから視認可能としている
【００３６】
前記幕板１５は、図２、図７及び図９に示すように、板状の幕板本体１５ａの下端側に上向きチャネル状の電源ユニット収納部１５ｂを構成し、コードリールＵ１や変圧器Ｕ２等の電源ユニットＵを収納可能なもので、前記配線空間Ｓ，７Ｓの下方に位置づけられている。この幕板１５は、図３に示す天板２の使用位置２（Ｐ）で天板奥行き方向Ｙに沿って下肢空間をほぼ等分する位置にあり、天板２がフラップして図４に示す起立位置２（Ｑ）にあるときに当該幕板１５の側方に天板２が平行に密接する。図２に示すコードリールＵ１は引出口を上方に向けて電源ユニット収納部１５ｂに固定されている。
【００３７】
すなわち、このフラップテーブルＴは、例えば図１に示す天板奥行き方向Ｙの各天板縁部２ｍ、２ｎにそれぞれ２人ずつが対面状態で着座して、それぞれがパーソナルコンピュータ等の電子機器類を配線取出口２６の内部に形成された配線空間Ｓを介して最寄のバッテリ５に接続し、給電を受けることができるものである。
【００３８】
なお、図９に符号Ｄで示すものは充電ドックである。この充電ドックＤは、扁平な中空板状のスタンド９１の平面視Ｔ字をなす位置にベース９２を取り付けて自立させたもので、スタンド９１の内部に電源ユニット９１ｂを有し、小口の複数個所に電源供給口９１ａを有している。
【００３９】
この充電ドックＤは、電源供給口９１ａを提供する機能と、フラップテーブルＴを集合させる機能とを兼ね備える。すなわち、フラップさせた状態でテーブルＴを移動させ、天板２がスタンド９１に平行となる姿勢で近づけると、フラップテーブルＴの脚体１を構成するベース脚１２のキャスタ１２ａに対して前記ベース９２が車止めとなり、所定位置で停止する。この位置で、前記電源ユニット収納部１５ｂに収納したコードリールＵ１からプラグを引き出して前記電源供給口９１ａに差し込むことで、収納されている間に各バッテリに対して充電を行うことができる。
【００４０】
その際、天板２を起立させた状態で、一のフラップテーブルＴに他のフラップテーブルＴを斜め方向から近づけることによって、ベース脚１２，１２同士が干渉する位置で天板２，２同士が平行に近接して水平スタックが実現可能とされており、前記充電ドックＤの近くに整然と集合させて、同じく電源供給口９１ａにプラグを差し込んで各バッテリ５に対する充電を行うことができる。
【００４１】
他にも、充電ドックＤに対するフラップテーブルＴの整列の態様は種々に変形実施することができる。
【００４２】
以上のように、本実施形態のフラップテーブルＴは、天板２が、そのフラップ動作の中心となる支軸ｍ１を当該支軸ｍ１と直交する天板奥行き方向Ｙの中心Ｃの付近に設定されるとともに、前記支軸ｍ１と軸心が合致する位置にトーションバー４を配置して、一端４１側を前記天板２を支持する脚体１に固定し、他端４２側を当該天板２に固定しており、天板２が天板奥行き方向Ｙの中心Ｃの付近で回転するため、天板２の重量を支える必要はほとんど無くなり、回転時の重量バランスも良好になる。このため、大型天板等に適用するにあたりトーションバー４を小型化して弾性係数を小さい値に抑えても、トーションバー４の効果を有効に発現させることができる。また、天板２を跳ね上げても天板２の重心位置Ｍが大きく変わらないため、大型天板であっても回転に大きな力や多くの操作量は必要とならない。そして、他の反力機構に比べて構造がコンパクトとなるため、水平スタッキング時のスタックピッチの狭小化にも好都合となる。
【００４３】
具体的には、天板奥行き方向Ｙに沿った重心位置Ｍを、支軸ｍ１に対して変位させてあるので、フラップ動作時に支軸ｍ１に対して重心位置Ｍをどの方向に作動させるかの設定と、トーションバー４をどの領域で変形させるかの設定とを組み合わせれば、トーションバー４の弾性係数を比較的抑えたなかで、目的や用途に応じたフラップ動作を有効に実現することができる。
【００４４】
特に本実施形態では、天板２の重心位置Ｍとの関係において前記支軸ｍ１の位置を、天板２がフラップ動作を行う際に途中の傾斜姿勢２（Ｒ）の位置を思案点としてそれよりも浅い角度で使用位置２（Ｐ）側に回転モーメントが生じそれよりも深い角度で起立位置２（Ｑ）側に回転モーメントが生じる関係に設定しているので、使用位置及び起立位置での安定性と、それらの位置から姿勢を切り替える際の軽快な操作性とを、トーションバー４と協働して好適に両立させることができる。
【００４５】
さらに具体的には、天板２の起立位置２（Ｑ）でトーションバー４にねじれ変位がなく、そこから使用位置２（Ｐ）に向かって天板２を移動させた際にトーションバー４がねじれ変位を引き起こして弾性力を蓄積するように構成しており、使用位置２（Ｐ）でトーションバー４から天板２に跳ね上げ方向の力が加わるので、フラップ操作をスムーズに行うことができる。しかも、天板奥行き方向Ｙに沿った中央Ｃの付近にフラップ動作の支軸２を設定したため、天板２の重心位置Ｍの移動が少なく、トーションバー４の効果が特に有効に発現することになる。
【００４６】
また、天板幅方向Ｘに沿って天板２の縁部に設けた可動ブラケット２１を支軸ｍ１を介して脚体１に取り付けるとともに、可動ブラケット２１，２１間を天板受部材２２で連結してその天板受部材２２を天板２の裏面に固定し、天板受部材２２の隣接位置に前記トーションバー４を平行に配置して、トーションバー４の一端４１を脚体２に固定し、他端４２を天板受部材２２に固定しているので、天板２の反りを防止する天板受部材２２を利用してトーションバー４を有効に取り付けることができる。
【００４７】
この場合、天板奥行き方向Ｙに沿った中央に配線取出口２６を設け、この配線取出口２６の下に配線ダクト７を、少なくとも前記トーションバー４を当該配線取出口２６から遮蔽する範囲に亘って配置しているので、配線ダクト７を利用して配線取出口２６の周辺の見栄えを有効に向上させることが可能となる。
【００４８】
なお、各部の具体的な構成は、上述した実施形態のみに限定されるものでない。
【００４９】
例えば、本発明の機能を発揮するにあたって、天板は楕円形状である必要はなく、矩形状、或いは多角形状等であっても構わない。
【００５０】
また、カバーの保持手段には、マグネット以外に、弾性爪を適宜部位に弾性的に係り合わせる構造等も採用することができる。
【００５１】
さらに、天板奥行き方向の重心位置を支軸に対して奥行き方向に変位させるにあたっては、天板のフラップ動作に伴い天板の重心位置が下がる方向へフラップ動作をするように、支軸と重心とのオフセット関係を規定してもよい。このようにすると、使用位置から持ち上げる初期段階から天板の重力を利用して跳ね上げ力が助勢されるので、フラップ操作をスムーズに行うことができる。
【００５２】
また、図１０に示すように、トーションバー４の反力を調節する調節機構４００を天板２０２の裏面２０２ａに設け、天板２０２を起立位置２０２（Ｑ）にフラップさせた際に少なくとも前記調節機構４００の操作部４０１ａが操作可能な状態で表出するように構成することも有効である。
【００５３】
このようにすれば、天板２０２を収納する際の操作感に応じて、次に使用するときのためにかかる操作部４０１ａを通じてトーションバー４の反力を容易に調節しておくことができる。
【００５４】
具体的には、トーションバー４の一端側を前記実施形態と同様に脚体に回転不能に固定した上で、調節機構４００が、当該トーションバー４の他端４２側を天板２０２とともに一体回転可能に固定する固定手段４０１の固定位置を当該トーションバー４の長手方向に沿って位置変更可能とするものであれば、トーションバー４のねじり範囲の変更を通じてその反力を簡易に変更する構造が実現できる。
【００５５】
同図においては更に、天板２０２の幅方向に沿ってその下面を支持する位置に前記実施形態と同様の天板受部材２２２を配置し、その天板受部材２２２に沿ってトーションバー４を配置して他端４２側に設けた固定手段４０１を移動可能に構成したものであり、当該天板受部材２２２の長手方向に沿って目盛２２２ａを付しているので、天板２０２の反りを防止する天板受部材４０１を利用してトーションバー４を有効に取り付けることができ、しかも、目盛２２２ａを付す位置を有効に確保して、フラップ動作の調節機能に便ならしめることができる。このような目盛は、トーションバー自体に付するようにしても勿論構わない。
【００５６】
その他の構成も、本発明の趣旨を逸脱しない範囲で種々変形が可能である。
【符号の説明】
【００５７】
１…脚体
２…天板
２（Ｒ）…傾斜姿勢
２（Ｐ）…使用位置
２（Ｑ）…起立位置
４…トーションバー
７…配線ダクト
２１…可動ブラケット
２２…天板受部材
２６…配線取出口
４１…一端
４２…他端
Ｃ…天板奥行き方向の中心
Ｍ…重心位置
ｍ１…支軸
Ｔ…フラップテーブル
Ｙ…天板奥行き方向
【図１】
0005574319.tif 000002
【図２】
0005574319.tif 000003
【図３】
0005574319.tif 000004
【図４】
0005574319.tif 000005
【図５】
0005574319.tif 000006
【図６】
0005574319.tif 000007
【図７】
0005574319.tif 000008
【図８】
0005574319.tif 000009
【図９】
0005574319.tif 000010
【図１０】
0005574319.tif 000011